(57)【要約】【課題】ユーザ自身がウエブサイト上で自由に写真、動画、音声、音楽、背景及び／又は演出等を選択でき、かつ、簡易にビデオを作成できるビデオ作成システム及び作成方法を提供する。【解決手段】ウエブサイト上でビデオを作成するビデオ作成システムにおいて、会員専用ページにてユーザがビデオに使用する写真、動画及び／又は音声を選択し、登録する写真・動画・音声登録手段と、上記会員専用ページにてユーザがビデオに使用する音楽を選択し、登録する音楽登録手段と、上記会員専用ページにてユーザがビデオに使用する写真の背景又は／及び演出を選択し、登録する背景・演出登録手段と、上記会員専用ページにてユーザがメッセージを記入するメッセージ記入手段と、上記会員専用ページにてビデオを上映するビデオ上映手段と、を含むビデオ作成システム。【選択図】図３
2010067099.tif 000002
【特許請求の範囲】
【請求項１】
ウエブサイトにビデオ作成サービスのページを表示するビデオ作成サービスページ表示手段と、
ユーザの端末末端から上記ウエブサイトを介して入力されたログインＩＤ及びパスワードを受信するパスワード受信手段と、
上記パスワードを認証するパスワード認証手段と、
上記パスワードが会員のものであることを認証した場合に、上記ユーザの端末装置に対して、会員専用のウエブページを表示する会員専用ページ表示手段と、
上記会員専用ページにてユーザがビデオに使用する写真、動画及び／又は音声を選択し、登録する写真・動画・音声登録手段と、
上記会員専用ページにてユーザがビデオに使用する音楽を選択し、登録する音楽登録手段と、
上記会員専用ページにてユーザがビデオに使用する写真の背景及び／又は演出を選択し、登録する背景・演出登録手段と、
上記会員専用ページにてユーザがメッセージを記入するメッセージ記入手段と、
上記会員専用ページにてビデオを上映するビデオ上映手段と、
を含むビデオ作成システム。
【請求項２】
前記ビデオが結婚紹介プロフィールビデオ、結婚エンドロールである請求項１に記載のビデオ作成システム。
【請求項３】
ウエブサイトにビデオ作成サービスのページを表示するビデオ作成サービスページ表示ステップと、
ユーザの端末末端から上記ウエブサイトを介して入力されたログインＩＤ及びパスワードを受信するパスワード受信ステップと、
上記パスワードを認証するパスワード認証ステップと、
上記パスワードが会員のものであることを認証した場合に、上記ユーザの端末装置に対して、会員専用のウエブページを表示する会員専用ページ表示ステップと、
上記会員専用ページにてユーザがビデオに使用する写真、動画及び／又は音声を選択し、登録する写真・動画・音声登録ステップと、
上記会員専用ページにてユーザがビデオに使用する音楽を選択し、登録する音楽登録ステップと、
上記会員専用ページにてユーザがビデオに使用する写真の背景及び／又は演出を選択し、登録する背景・演出登録ステップと、
上記会員専用ページにてユーザがメッセージを記入するメッセージ記入ステップと、
上記会員専用ページにてビデオを上映するビデオ上映ステップと、
を含むビデオ作成方法。
【請求項４】
前記ビデオが結婚紹介プロフィールビデオ、結婚エンドロールである請求項３に記載のビデオ作成方法。
【発明の詳細な説明】
【技術分野】
【０００１】
本発明は、ウエブサイト上で、写真・動画等から結婚プロフィールビデオ、結婚エンドロール、同窓会ビデオ、故人紹介ビデオ、卒業ビデオ等のビデオを簡単に作成できるビデオ作成システム及び作成方法に関する。
【背景技術】
【０００２】
従来より、結婚披露宴場にて新郎新婦を紹介するビデオを上映することや故人のお別れの会にて故人を紹介するビデオを上映することが行われている。このような結婚プロフィールビデオ、結婚エンドロール、故人紹介ビデオ等は、従来、専門の業者に依頼することにより作成されており、専門の業者は専用のソフトウェアを使用することにより結婚プロフィールビデオ、結婚エンドロール、故人紹介ビデオ等を作成している。
【０００３】
【特許文献１】特開２００５−１３００９号公報
【発明の開示】
【発明が解決しようとする課題】
【０００４】
ビデオの作成を専門の業者に依頼する方法では、ユーザの希望に沿った形でビデオを作成することが難しかった。また、ユーザ自身が作成する場合において、ビデオ作成ソフトウェアを使用する方法では、ソフトウェアを別途購入する必要が生じる。
【０００５】
そこで、ユーザ自身がウエブサイト上で自由に写真、動画、音声、音楽、背景及び／又は演出等を選択でき、かつ、簡易にビデオを作成できるビデオ作成システム及び作成方法を提供することを目的とする。
【課題を解決するための手段】
【０００６】
本発明は、
（１）ウエブサイトにビデオ作成サービスのページを表示するビデオ作成サービスページ表示手段と、
ユーザの端末末端から上記ウエブサイトを介して入力されたログインＩＤ及びパスワードを受信するパスワード受信手段と、
上記パスワードを認証するパスワード認証手段と、
上記パスワードが会員のものであることを認証した場合に、上記ユーザの端末装置に対して、会員専用のウエブページを表示する会員専用ページ表示手段と、
上記会員専用ページにてユーザがビデオに使用する写真、動画及び／又は音声を選択し、登録する写真・動画・音声登録手段と、
上記会員専用ページにてユーザがビデオに使用する音楽を選択し、登録する音楽登録手段と、
上記会員専用ページにてユーザがビデオに使用する写真の背景及び／又は演出を選択し、登録する背景・演出登録手段と、
上記会員専用ページにてユーザがメッセージを記入するメッセージ記入手段と、
上記会員専用ページにてビデオを上映するビデオ上映手段と、
を含むビデオ作成システム、
（２）前記ビデオが結婚紹介プロフィールビデオ、結婚エンドロールである請求項１に記載のビデオ作成システム、
（３）ウエブサイトにビデオ作成サービスのページを表示するビデオ作成サービスページ表示ステップと、
ユーザの端末末端から上記ウエブサイトを介して入力されたログインＩＤ及びパスワードを受信するパスワード受信ステップと、
上記パスワードを認証するパスワード認証ステップと、
上記パスワードが会員のものであることを認証した場合に、上記ユーザの端末装置に対して、会員専用のウエブページを表示する会員専用ページ表示ステップと、
上記会員専用ページにてユーザがビデオに使用する写真、動画及び／又は音声を選択し、登録する写真・動画・音声登録ステップと、
上記会員専用ページにてユーザがビデオに使用する音楽を選択し、登録する音楽登録ステップと、
上記会員専用ページにてユーザがビデオに使用する写真の背景及び／又は演出を選択し、登録する背景・演出登録ステップと、
上記会員専用ページにてユーザがメッセージを記入するメッセージ記入ステップと、
上記会員専用ページにてビデオを上映するビデオ上映ステップと、
を含むビデオ作成方法、
（４）前記ビデオが結婚紹介プロフィールビデオ、結婚エンドロールである請求項３に記載のビデオ作成方法、
に関する。
【発明の効果】
【０００７】
本発明によると、ユーザはウエブサイトにて会員登録を行い、会員専用ページにアクセスし、写真、動画、音声、音楽、背景及び／又は演出等を選択及び登録することにより、ウエブサイト上で簡易にビデオを作成することができる。
【発明を実施するための最良の形態】
【０００８】
図１に示すように、本発明によるビデオ作成システム１０は、ウエブ管理部１１、認証管理部１２、写真・動画・音声管理部１３、音楽管理部１４、背景・演出管理部１５、メッセージ管理部１６、ビデオ作成部１７を有する。
【０００９】
本発明のビデオ作成システム１０は、ビデオ作成サービスを提供する管理者（以下、単に管理者という。）のサーバコンピュータである。端末装置２１、２２は、ビデオ作成サービスを利用してのビデオ作成を希望するユーザのコンピュータである。ビデオ作成システム１０と端末装置２１、２２はインターネット等の通信ネットワーク３０によって接続されている。
【００１０】
ウエブ管理部１１は、管理者が運営するウエブサイトの作成、更新、リンク等を管理する。
【００１１】
認証管理部１２は、会員登録したユーザにログインＩＤ及びパスワードを付与し、ユーザが入力したログインＩＤ及びパスワードを認証する。
【００１２】
写真・動画・音声管理部１３は、ユーザが選択した写真、動画及び／又は音声を登録する。
【００１３】
音楽管理部１４は、ユーザが選択した音楽を登録する。
【００１４】
背景・演出管理部１５は、ユーザが選択した背景及び／又は演出を登録する。
【００１５】
メッセージ管理部１６は、ユーザが記入したメッセージを登録する。
【００１６】
ビデオ作成部１７は、写真・動画・音声管理部１３に登録された写真、動画及び／又は演出、音楽管理部１４に登録された音楽、背景・演出管理部１５に登録された背景及び／又は演出、及び、メッセージ管理部１６に登録されたメッセージを組み合わせ、映像を作成する。
【００１７】
図２を参照して、ユーザがビデオ作成システムに対して会員登録を行う手順を説明する。ステップＳ１０１にて、ユーザは管理者のサーバ装置のウエブ管理部１１が提供するウエブサイトにアクセスする。ステップＳ２０１にて、サーバ装置のウエブ管理部１１は、ウエブページを表示する。ステップＳ１０２にて、ユーザは会員登録の申し込みを行う。即ち、会員登録画面にて、会員の氏名、住所、電話番号、メールアドレス等の個人情報を入力し、送信する。ステップＳ２０２にて、サーバ装置の認証管理部１２は、個人情報をユーザ個人情報データベースに登録する。ステップＳ２０３にて、サーバ装置の認証管理部１２は、ユーザのメールアドレス宛に、パスワード及びログインＩＤを送信する。ステップＳ１０３において、ユーザは、パスワード及びログインＩＤを電子メールで受信する。こうして、個人情報の登録とパスワード及びログインＩＤの配布が完了すると、会員登録の手続は完了する。以後、ユーザはサーバ装置が管理するウエブサイト上で会員ページにアクセスし、ビデオ作成システムにてビデオを作成することができる。
【００１８】
図３を参照して、会員であるユーザがウエブ上でビデオを作成する手順を説明する。ステップＳ３０１にて、ユーザはサーバ装置のウエブ管理部１１が提供するウエブサイトにアクセスする。ステップＳ３０２にて、ユーザはウエブページにてパスワード及びログインＩＤを入力する。ステップＳ４０２にて、サーバ装置の認証管理部１２はパスワード及びログインＩＤを認証する。認証の結果、本人であると認証した場合には、ステップＳ４０３にてサーバ装置のウエブ管理部１１はウエブサイトに会員ページを表示する。
【００１９】
ステップＳ３０３にて、ユーザは会員ページを開く。会員ページを開くと、写真、動画、音声を登録する画面を表示することができる。ステップ３０４にてビデオにすることをユーザが希望する写真、動画及び／又は音声を選択する。写真や動画はユーザの端末装置に格納されているスキャナ、デジタルカメラ、ビデオカメラ等から入力されたデータを使用する。ステップ４０４にてサーバ装置の写真・動画・音声管理部１３は、ユーザが選択した写真を登録する。写真の登録に際して、コメントの記入、動き、効果、表示時間等を設定し、登録できるようにすることもできる。写真や動画は複数登録できることが好ましい。また、写真、動画及び／又は音声の登録後、これらの加工処理を行うこともできる。
【００２０】
なお、本システムでは複数の者が別の場所にいても、それぞれがパスワード及びログインＩＤにより会員ページへアクセスすることにより写真、動画及び／又は音声を登録することが可能である。
【００２１】
ステップＳ３０５にて、ユーザは好みの音楽を選択する。ステップＳ４０５にて、サーバ装置の音楽管理部１４は、ユーザが選択した音楽を登録する。音楽は管理者のデータベースに事前に登録されている音楽の中から好みの音楽を選択し、登録することができる。音楽はパートごとに音楽を選択し、登録することが可能である。ここでパートとは、例えば、結婚プロフィールビデオの場合、オープニング、新郎生い立ち又は新婦生い立ち等をいい、パートごとに異なった音楽を選択することが可能である。なお、管理者のデータベースに好みの音楽がない場合は、ユーザの端末装置に格納されているユーザが希望する音楽を選択し、登録することもできる。
【００２２】
ステップＳ３０６にて、ユーザは好みの背景及び／又は演出を選択する。ステップＳ４０６にて、サーバ装置の背景・演出管理部１５は、ユーザが選択した背景及び／又は演出を登録する。背景や演出は管理者のデータベースに事前に登録されている背景や演出の中から好みの背景や演出を選択し、登録することができる。背景及び／又は演出は、パートごとに背景や演出を選択し、登録することが可能である。ここでパートとは、例えば、結婚プロフィールビデオの場合、オープニング、新郎生い立ち、新婦生い立ち、エンディング等をいい、パートごとに異なった背景や演出を選択することが可能である。背景や演出を設定したいパートの背景や演出のサンプル画像をクリックすると、背景や演出の一覧画面が開き、背景や演出の一覧の中からユーザが希望する背景や演出をクリックすることで、背景や演出が選択され、背景や演出を登録することができる。
【００２３】
ステップＳ３０７にて、ユーザはメッセージを記入する。メッセージは、例えば結婚プロフィールビデオの場合は結婚披露宴出席者に対するメッセージ、故人紹介ビデオの場合はお別れの会の出席者に対するメッセージをいい、結婚エンドロールの場合は、結婚披露宴出席者の名前等をいう。ステップＳ４０７にて、サーバ装置のメッセージ管理部１６は、ユーザが記入したメッセージを登録する。メッセージは管理者のデータベースに事前に登録されているサンプルメッセージを表示することもでき、サンプルメッセージを一部訂正することにより、ユーザのオリジナルメッセージを作成することもできる。メッセージの記入が終われば、例えば「メッセージの登録」ボタンをクリックすることにより、メッセージが登録される。
【００２４】
ステップＳ４０８にて、写真・動画・音声管理部１３、音楽管理部１４、背景・演出管理部１５、メッセージ管理部１６で登録された情報から、ビデオ作成部１７でビデオが作成される。ビデオは選択された写真や動画にパートごとに選択された背景や演出を使用し、パートごとに選択された音楽を流すこと等によって映像が作成される。
【００２５】
ステップＳ３０８にて、ユーザは作成されたビデオを上映し、確認することができる。ビデオの上映はステップＳ４０８にてサーバ装置が映像再生プログラムと映像素材を端末装置に送信することで行われる。ビデオを確認した結果、修正したい箇所がある場合は、前のステップに戻って修正することができる。映像を確認した結果、この内容でよければ、作成されたビデオを注文することができる。ビデオの注文は、例えば、注文ボタンをクリックすることで注文することができる。
【００２６】
ビデオの注文の後、サーバ装置の管理者は登録された写真や動画の調整を行うことができる。写真や動画の調整とは、例えば明るさの調整、色の調整、赤目・傷の補正、ノイズ除去、構図調整等が挙げられる。また、音楽のテンポや流れに合わせて自然な感じになるように写真等の切り替え、タイミング等を調整することもできる。
【００２７】
写真等の調整が終わった後、ビデオは編集し、ＤＶＤ等に保存される。ＤＶＤ等に保存されたビデオはユーザに郵送等され、結婚披露宴、故人のお別れ会等で上映することができる。
【実施例】
【００２８】
以下、実施例を挙げて本発明をさらに詳しく説明するが、本発明はこれらの実施例により何ら制限されるものではない。
【００２９】
実施例１
写真から結婚プロフィールビデオを作成するシステム及び作成方法を説明する。
まず、ユーザは管理者のサーバ装置のウエブ管理部１１が提供するウエブサイトにアクセスする。ユーザがウエブサイトにアクセスすると、サーバ装置のウエブ管理部１１は、ウエブページを表示する。ユーザは会員登録画面にて、氏名、住所、電話番号、メールアドレス等を入力し、会員登録の申し込みを行う。ユーザが会員登録の申し込みを行うと、サーバ装置の認証管理部１２は、個人情報をユーザ個人情報データベースに登録し、ユーザのメールアドレス宛に、パスワード及びログインＩＤを送信する。ユーザは、パスワード及びログインＩＤを電子メールで受信する。こうして、会員登録の手続を行い、ユーザにログインＩＤとパスワードを発行する。
【００３０】
次にユーザはウエブ上で結婚プロフィールビデオを作成する。まず、ユーザはサーバ装置のウエブ管理部１１が提供するウエブサイトにアクセスし、ウエブページにてパスワード及びログインＩＤを入力する。サーバ装置の認証管理部１２がパスワード及びログインＩＤを認証すと、サーバ装置のウエブ管理部１１はウエブサイトに会員ページを表示する。
【００３１】
ユーザは会員ページを開き、結婚プロフィールビデオを作成するページを表示する。次に、写真を登録する画面を表示する。写真登録画面ではまず、新郎の生い立ち写真を登録する画面が表示される（図４）。新郎の生い立ち写真登録画面にて結婚プロフィールビデオにすることを希望する写真を選択する。写真はユーザの端末装置に格納されているスキャナやデジタルカメラで取り込んだデータ写真から選択する。写真の選択は、例えば、自己紹介写真を選択する場合は、自己紹介写真のボタンをクリックし、ユーザが結婚プロフィールビデオにすることを希望する写真を「マイ  ピクチャ」等の写真の一覧からクリックして選択することで、自己紹介写真が登録される。続いて、新郎の生い立ちの写真を登録する。ここでも、同様に会員ページの、生い立ちの「１」のボタンをクリックし、１枚目の生い立ち写真を写真一覧の中から選択することで「１」に生い立ち写真が登録される。なお、生い立ちの写真の登録に際して、一言コメント、動き、効果、表示時間も登録する。次いで生い立ちの「２」のボタンをクリックし、同様に写真一覧の中から２枚目の生い立ち写真を選択し、登録する。生い立ち写真は、古い順に登録される。生い立ち写真を古い順に登録することで、結婚プロフィールビデオの新郎生い立ちは古い写真から映像化されることになる。この作業を繰り返し、生い立ち写真を順次登録していく。
【００３２】
新郎の生い立ち写真が登録し終わったら、同様に新婦の写真の自己紹介用写真及び生い立ち写真を順次登録する。
【００３３】
新郎・新婦の写真の登録が終わったら、二人で写っている写真を登録する。
【００３４】
写真の登録が終了したら、次にユーザは好みの音楽を選択する。図５にて音楽選択画面の一例を示す。ユーザが「オープニング」、「新郎生い立ち」、「新婦生い立ち」、「二人の思いで」等のパートごとに音楽を選択すると、サーバ装置は選択された音楽を登録する。
【００３５】
次に、ユーザは好みの背景及び演出を選択する。図６にて背景・演出選択画面の一例を示す。ユーザが「オープニング」、「新郎生い立ち」、「新婦生い立ち」、「二人の思いで」等のパートごとに背景や演出を選択すると、サーバ装置は選択された背景及び演出を登録する。背景や演出の選択は、背景や演出を設定したい背景・演出パートの背景や演出のサンプル画像をクリックすると背景や演出の一覧画面が開くようにすることで、背景や演出の一覧からユーザが好みの背景や演出を選択することができる。
【００３６】
次に、ユーザは披露宴出席者に対するメッセージを記入する。図７にメッセージ記入画面の一覧を示す。ユーザはメッセージを自由に記入することができる。メッセージの記入が終われば、「メッセージの登録」ボタンをクリックすることで、メッセージが登録される。
【００３７】
写真、音楽、背景、演出の選択・登録が終了し、メッセージの記入が終了した後、選択・登録された写真、音楽、背景、演出及び記入されたメッセージの情報から、結婚プロフィールビデオが作成される。
【００３８】
結婚プロフィールビデオの作成後、ユーザは作成された結婚プロフィールビデオをウエブ上で上映する。結婚プロフィールビデオを注文したい場合は、ウエブページの注文ボタンをクリックする。
【００３９】
実施例２
動画から結婚エンドロールを作成するシステム及び作成方法を説明する。
実施例１と同様にして会員ページを表示する。  ユーザは会員ページを開き、結婚エンドロールを作成するページを表示する。次に、動画を登録する画面を開く。動画登録画面で、結婚エンドロールに使用したい動画を選択する。動画はユーザの端末装置に格納されているビデオカメラなどから取り込んだ動画ファイルの一覧から選択する。動画の一覧からクリックして選択することで、動画が登録される。新郎、新婦の動画や二人で写っている動画を順次登録していく。
【００４０】
動画の登録が終了したら、次にユーザは好みの音楽を選択する。ユーザが音楽を選択すると、サーバ装置は選択された音楽を登録する。
【００４１】
次に、ユーザは好みの背景及び演出を選択する。ユーザが背景及び演出を選択すると、サーバ装置は選択された背景及び演出を登録する。
【００４２】
次に、ユーザは結婚披露宴出席者の名前を記入する。結婚披露宴出席者の名前の記入において、一言コメントも記入する。また、結婚披露宴出席者に対するメッセージも記入する。結婚披露宴出席者の名前の記入が終われば、「登録」ボタンをクリックすることで、披露宴出席者の名前が登録される。
【００４３】
動画、音楽、背景、演出の選択・登録が終了し、結婚披露宴出席者の名前の記入が終了した後、選択・登録された動画、音楽、背景、演出及び記入された結婚披露宴出席者の名前等の情報から、結婚エンドロールが作成される。
【００４４】
結婚エンドロールの作成後、ユーザは作成された結婚エンドロールをウエブ上で上映する。結婚プロフィールビデオを注文したい場合は、ウエブページの注文ボタンをクリックする。
【図面の簡単な説明】
【００４５】
【図１】本発明によるビデオ作成システムの構成の例を示す図である。
【図２】本発明によるビデオ作成システムに対してユーザが会員登録を行う手順を説明する図である。
【図３】本発明によるビデオ作成システムにおいて、会員であるユーザが結婚プロフィールビデオを作成する手順を説明する図である。
【図４】実施例の結婚プロフィールビデオにおける写真登録画面の一例である。
【図５】実施例の結婚プロフィールビデオにおける音楽選択画面の一例である。
【図６】実施例の結婚プロフィールビデオにおける背景選択画面の一例である。
【図７】実施例の結婚プロフィールビデオにおけるメッセージ記入画面の一例である。
【符号の説明】
【００４６】
１０：ビデオ作成システム
１１：ウエブ管理部
１２：認証管理部
１３：写真・動画・音声管理部
１４：音楽管理部
１５：背景・演出管理部
１６：メッセージ管理部
１７：ビデオ作成部
２１、２２：端末装置
３０：通信ネットワーク
【図１】
2010067099.tif 000003
【図２】
2010067099.tif 000004
【図３】
2010067099.tif 000005
【図４】
2010067099.tif 000006
【図５】
2010067099.tif 000007
【図６】
2010067099.tif 000008
【図７】
2010067099.tif 000009